(57)【要約】【課題】  三角錐形状の四面体を組み合わせることで自在な形状を有するクッションを提供する。【解決手段】  クッションにおいて、各辺にファスナー２が設けられた複数の三角錐形状の四面体１からなり、前記ファスナー２の結合により前記四面体１が組み合わされて形成される。【選択図】  図１
0003176277.tif 000002
【実用新案登録請求の範囲】
【請求項１】
各辺にファスナーが設けられた複数の三角錐形状の四面体からなり、前記ファスナーの結合により前記四面体が組み合わされて形成されることを特徴とするクッション。
【請求項２】
請求項１記載のクッションにおいて、４個の前記四面体からなる腰掛け型であることを特徴とするクッション。
【請求項３】
請求項１記載のクッションにおいて、７個の前記四面体からなる背もたれ型クッションであることを特徴とするクッション。
【請求項４】
請求項１記載のクッションにおいて、１２個の前記四面体からなる寝椅子型であることを特徴とするクッション。
【請求項５】
請求項１から４の何れか一項記載のクッションにおいて、前記四面体は表面が帆布であり、内部に詰め物を有することを特徴とするクッション。
【請求項６】
請求項５記載のクッションにおいて、前記帆布に各種の模様又はカラーが施されていることを特徴とするクッション。
【考案の詳細な説明】
【技術分野】
【０００１】
本考案は、クッション（座布団）に係り、特に三角錐形状の四面体が組み合わされて形成される、所望の形状を有するクッションに関するものである。
【背景技術】
【０００２】
通常、クッションは単体での使用を前提とした独立した形状を有するものであり、その変形性を利用することで様々な用途に利用されている。また、複数のクッションを同時に使用する場合は、それらを積み重ねたり、横に並べたりして使用している。
【先行技術文献】
【特許文献】
【０００３】
【特許文献１】実用新案登録第３１４５４８３号
【特許文献２】実用新案登録第３１３３８３９号
【特許文献３】実用新案登録第３１３０７０３号
【考案の概要】
【考案が解決しようとする課題】
【０００４】
しかしながら、従来のクッションは単体での使用が前提であるため、つぶす、折り曲げる、ひねるなど形状変化のバリエーションが少なく、利用者のニーズに合わせて変幻自在な形状を作り出すものではなかった。また、従来のクッションを複数組み合わせて使用する場合は、単に積み重ねるか、横に並べることしかできないため、クッションの位置がずれて形状が崩れたり、所望の形状を作ることができなかったりして、利用者が快適に使用できるものではなかった。
【０００５】
本考案は、上記状況に鑑みて、三角錐形状の四面体を組み合わせて形成される自在な形状のクッションを提供することを目的とする。
【課題を解決するための手段】
【０００６】
本考案は、上記目的を達成するために、
〔１〕クッションにおいて、各辺にファスナーが設けられた複数の三角錐形状の四面体からなり、前記ファスナーの結合により前記四面体が組み合わされて形成されることを特徴とする。
〔２〕上記〔１〕記載のクッションにおいて、４個の前記四面体からなる腰掛け型であることを特徴とする。
【０００７】
〔３〕上記〔１〕記載のクッションにおいて、７個の前記四面体からなる背もたれ型クッションであることを特徴とする。
〔４〕上記〔１〕記載のクッションにおいて、１２個の前記四面体からなる寝椅子型であることを特徴とする。
〔５〕上記〔１〕から〔４〕の何れか一項記載のクッションにおいて、前記四面体は表面が帆布であり、内部に詰め物を有することを特徴とする。
【０００８】
〔６〕上記〔５〕記載のクッションにおいて、前記帆布に各種の模様又はカラーが施されていることを特徴とする。
【考案の効果】
【０００９】
本考案によれば、各辺にファスナーが設けられた複数の三角錐形状の四面体からなり、前記ファスナーの結合により前記四面体が組み合わされて形成されるクッションを簡便に、しかも所望の形状に自在に構成することができる。
【図面の簡単な説明】
【００１０】
【図１】本考案の第１実施例を示す４個の四面体からなる腰掛け型のクッションを示す正面方向見た斜視図及び四面体の模式図である。
【図２】本考案の第１実施例を示す４個の四面体からなる腰掛け型のクッションを正面方向から見た図面代用写真である。
【図３】本考案の第１実施例を示す４個の四面体からなる腰掛け型のクッションを側面方向から見た模式図である。
【図４】本考案の第１実施例を示すクッションに利用者が腰掛けた状態を示す模式図である。
【図５】本考案の第２実施例を示す７個の四面体からなる背もたれ型クッションを側面方向から見た斜視図である。
【図６】本考案の第２実施例を示す７個の四面体からなる背もたれ型クッションを側面方向から見た図面代用写真である。
【図７】本考案の第２実施例を示す７個の四面体からなる背もたれ型クッションを正面方向から見た斜視図である。
【図８】本考案の第２実施例を示すクッションに利用者が背もたれ状態を示す模式図である。
【図９】本考案の第３実施例を示す１２個の四面体からなる寝椅子型クッションを示す正面方向から見た斜視図である。
【図１０】本考案の第３実施例を示す１２個の四面体からなる寝椅子型クッションを示す正面方向から見た図面代用写真である。
【図１１】本考案の第３実施例を示すクッションに利用者が身を横たえている状態を示す模式図である。
【図１２】本考案の更なる実施例を示す図面代用写真である。
【考案を実施するための形態】
【００１１】
本考案のクッションは、各辺にファスナーが設けられた複数の三角錐形状の四面体からなり、前記ファスナーの結合により前記四面体が組み合わされて形成される。
【実施例】
【００１２】
以下、本考案について図面を参照しながら詳細に説明する。
図１は本考案の第１実施例を示す４個の四面体からなる腰掛け型のクッションを示す模式図であり、図１（ａ）はその腰掛け型のクッションを正面方向から見た斜視図、図１（ｂ）はクッションを構成する四面体を示す模式図である。図２はその腰掛け型のクッションを正面方向から見た図面代用写真、図３はその腰掛け型のクッションを側面方向から見た模式図、図４はこのクッションに利用者が腰掛けた状態を示す模式図である。
【００１３】
図１（ａ）に示すように、第１実施例のクッションは４個の四面体を組み合わせて形成される腰掛け型のクッションである。まず、２個の四面体ａ，ｂを１辺で合わせて結合し、接続部近傍の他の２辺にそれぞれ別の四面体ｃ，ｄ（図示なし）の辺を結合することで形成されている。
クッションを構成する四面体は、図１（ｂ）に示すように、各辺にスライダー付きのファスナー２の片側を備えている。このファスナー２はテープ３に務歯４が配置された結合すべき他の四面体１の各辺の務歯４と結合する開放式の開閉式留め具（線ファスナー）であり、つまり、四面体１の各辺には単一のテープ３と単一の務歯４とスライダー５が配置されており、互いに四面体１の各辺を結合できるようにしている。このファスナー２により、四面体１の１辺に設けられる務歯４と別の四面体１の１辺に設けられる務歯４とを合わせて、いずれかの四面体１の１辺のスライダー５により噛み合わせることで、四面体１同士を結合することができる。
【００１４】
この第１実施例では、図１、２に示すように４個の四面体１を組み合わせ、互いに接する各辺でファスナー２により結合している。このような構成とすることで、上側２個の四面体が菱形形状の座面を形成し、下側２個の四面体がこの座面にかかる荷重を支える構造となり、図４に示すように腰掛け型クッションとして利用者が腰掛けることができる。なお、図１（ｂ）以外では、図面簡略化のためにファスナー（スライダー含む）を省略して示す。
【００１５】
図５は本考案の第２実施例を示す７個の四面体からなる背もたれ型クッションを側面方向から見た斜視図、図６はその７個の四面体からなる背もたれ型クッションを側面方向から見た図面代用写真、図７は本考案の第２実施例を示す７個の四面体からなる背もたれ型クッションを正面方向から見た斜視図、図８は本考案の第２実施例を示すクッションに利用者が腰掛けた状態を示す模式図である。
【００１６】
図５及び図６に示すように、四面体１の各辺に設けられるファスナーを他の四面体１と結合させて４個の四面体１により上側に大きな三角形状の座面を構成し、下側の３個の四面体１でこの座面にかかる荷重を支える、計７個の四面体１からなる大きな腰掛け型のクッションを形成する。このような構成とすることで、図８に示すように、複数の利用者が腰掛けることができる。
【００１７】
図９は本考案の第３実施例を示す１２個の四面体からなる寝椅子型クッションを示す正面方向から見た斜視図、図１０はその１２個の四面体からなる寝椅子型クッションを示す正面方向から見た図面代用写真、図１１はそのクッションに利用者が身を横たえている状態を示す模式図である。
図９に示すように、四面体１の各辺に設けられるファスナーを他の四面体１と結合させて、５個の四面体１により五角形状の座面を構成し、下側の５個の四面体１でこの座面にかかる荷重を支え、さらに座面に接続した２個の四面体１で背もたれ部を構成する、計１２個の四面体１からなる寝椅子形状のクッションを形成する。このような構成とすることで、図１１に示すように、利用者が身を横たえることができる。
【００１８】
図１２は本発明の更なる実施例を示す図面代用写真であり、図１２（ａ）は一人用ソファ型のクッション、図１２（ｂ）は背もたれ付き椅子型のクッション、図１２（ｃ）は横向き寝転び用ソファ型のクッションである。
上記実施例では、腰掛け型、寝椅子型のクッションの例について説明したが、これに限定されるものではなく、例えば、図１２に示すように、四面体の組み合わせで構成される種々の大きさと形状のクッションが本考案に含まれる。
【００１９】
なお、四面体１の表面は帆布、ジーンズ生地、トレーナー生地など十分な強度を有する材質であればよく、四面体１の内部はウレタンなどの詰め物をすることができる。したがって、クッションの用途に応じて、四面体１の表面材質と詰め物を変えることにより、例えば、硬めの事務的なクッションから柔らかいリラックス型のクッションなど自在な構成が可能である。また、四面体１の表面に各種の模様又はカラーを施し、デザイン性を向上させることができる。
【００２０】
なお、上記実施例では、ファスナー２として線ファスナーを例に挙げたが、面ファスナーを用いて四面体の結合を行うようにしてもよい。
【産業上の利用可能性】
【００２１】
本考案のクッションは、三角錐形状の四面体を組み合わせ自在な形状のクッションとして利用することができる。
【符号の説明】
【００２２】
１    四面体
２    各辺に設けられるスライダー付きのファスナー
３    テープ
４    務歯
５    スライダー
ａ，ｂ    ２個の四面体
ｃ，ｄ    別の四面体
【図１】
0003176277.tif 000003
【図３】
0003176277.tif 000004
【図４】
0003176277.tif 000005
【図５】
0003176277.tif 000006
【図７】
0003176277.tif 000007
【図８】
0003176277.tif 000008
【図９】
0003176277.tif 000009
【図１１】
0003176277.tif 000010
【図２】
0003176277.tif 000011
【図６】
0003176277.tif 000012
【図１０】
0003176277.tif 000013
【図１２】
0003176277.tif 000014